(57)【要約】【課題】蔽物を乗り越えて精確的に特定範囲の立体空間内の物体の移動状況を検知でき、且つその検知状況に応じて即時で正確的なレスポンスを実行でき、且つその検知する信号にしたがって遠方で同期操作を実行できるようにする。【解決手段】電源を供給するための給電装置１と、前記給電装置１に電気的に接続される受動電気装置２と、前記給電装置１と前記受動電気装置２との電気回路に接続され、前記受動電気装置２を起動することを判断するための出力コントローラ３と、前記出力コントローラ３に接続され、特定の範囲の立体空間内において無方向性のマイクロウェーブを発射し、それによって特定の範囲の立体空間内の物体の移動状況を検知し、且つ検知信号を前記出力コントローラ３に送信し、前記出力コントローラ３に前記受動電気装置２を起動することを判断するための依拠を提供するためのマイクロウェーブ検知装置４とからなる。【選択図】図１
2005221303.tif 000002
【特許請求の範囲】
【請求項１】
電源を供給するための給電装置と、
前記給電装置に電気的に接続される受動電気装置と、
前記給電装置と前記受動電気装置との電気回路に接続され、前記受動電気装置を起動することを判断するための出力コントローラと、
前記出力コントローラに接続され、特定の範囲の立体空間内において無方向性のマイクロウェーブを発射し、それによって特定の範囲の立体空間内の物体の移動状況を検知し、且つ検知信号を前記出力コントローラに送信し、前記出力コントローラに前記受動電気装置を起動することを判断するための依拠を提供するためのマイクロウェーブ検知装置と、からなることを特徴とする、
マイクロウェーブ検知システム。
【請求項２】
前記受動電気装置として照明装置を使用することを特徴とする、
請求項１に記載のマイクロウェーブ検知システム。
【請求項３】
前記受動電気装置として警告装置を使用することを特徴とする、
請求項１に記載のマイクロウェーブ検知システム。
【請求項４】
電源を供給するための給電装置と、
前記給電装置に電気的に接続される受動電気装置と、
前記給電装置と前記受動電気装置との電気回路に接続され、前記受動電気装置を起動することを判断するための出力コントローラと、
前記出力コントローラに接続され、特定の範囲の立体空間内において無方向性のマイクロウェーブを発射し、それによって特定の範囲の立体空間内の物体の移動状況を検知し、且つ検知信号を前記出力コントローラに送信し、前記出力コントローラに前記受動電気装置を起動することを判断するための依拠を提供するためのマイクロウェーブ検知装置と、
前記出力コントローラに接続され、前記マイクロウェーブ検知装置の検知する情報信号を発信できる発信器と、
前記発信器の発信する信号を受信できる受信器と、その受信器に接続され、その受信きからの信号にしたがって作動を実行するかを判断及び決定する作動装置途からなる少なくとも一つの遠方装置と、からなることを特徴とする、
マイクロウェーブ検知システム。
【請求項５】
前記作動装置としてモニタ装置を使用することを特徴とする、
請求項４に記載のマイクロウェーブ検知システム。
【発明の詳細な説明】
【技術分野】
【０００１】
本発明は、マイクロウェーブ検知システムに係わり、特にマイクロウェーブ検知装置（Ｍｉｃｒｏｗａｖｅ  Ｄｅｔ）を利用し、ガラスやセメントや木製板体などの阻隔を突破でき、所定の範囲の立体空間内における物体の移動状況を検知でき、受動電気装置の感応起動を制御することに利用されると共に、その検知する信号にしたがって遠距離の同期操作を実行できるマイクロウェーブ検知システムに関するものである。
【背景技術】
【０００２】
現在では、マーケットにおいて使用されてきた検知システムは、主に主動式の赤外線装置を使用するものが多く、それには、赤外線発信器と赤外線検知装置とを有し、所定の範囲内の物体の移動状況を検知するに用いられる。
【０００３】
前記のような従来の物品は、その検知方式が、前記赤外線発信器の出射した赤外線ビームによって物体の移動を検知するものであり、周りに移動する物体が前記赤外線発信器の出射した赤外線ビームにタッチする場合に、赤外線ビームが一旦と遮断され、赤外線検知装置に送信できなくなり、赤外線検知装置が信号を発信することによってその検知システムにおける受動電気装置（例えば、盗難防止装置や照明装置などを起動し、または警告を出すなど）を感応作動させる。
【０００４】
しかしながら、前記の従来構造は、その構造には多くの製造上と使用上の欠点を有している。つまり、
１．主動式赤外線装置の検出可能な範囲は単に直線によるものにしかなく、すべての空間をカバーできない。
２．主動式赤外線装置は、赤外線発信器と赤外線検知装置とをそれぞれ空間の両端部に配置して合せて使用する必要があるので、その設備と回路とがよく長すぎるように配布されるため、集中的に揃えることが出来ない。
【０００５】
また、マーケットにおいて使用されてきた検知システムは、大体受動式赤外線検知装置を使用して所定の範囲内の物体の移動を検知するものが多い。
【０００６】
受動式赤外線検知装置は自身で赤外線ビームを発射しなく、その検出方式として、検出範囲内に入る熱源物体の表面の発射する赤外線輻射（波長が８ないし１４ｍｍの間にある）を受動式赤外線検知装置に入射させて、受動赤外線検知装置を始動して検知信号を発信させ、それによって検知システムにおける受動電気装置を駆動して作動させるものである。
【０００７】
しかしながら、前記の従来構造は、前記の主動式の赤外線装置の単に直線式の検出しか出来ない課題を改善でき、そのすべての空間をカバーできない欠点をなくすことができるが、その構造には依然として多くの製造上と使用上の欠点を含んでいる。例えば、
１．受動式赤外線検知装置の検出する物体表面の熱源が、その受動式赤外線検知装置に伝達される過程中に、その回りの大気環境の条件が劣化される場合、例えば、雨や霧や水蒸気などが生じ、または不安定な発熱源に近接する場合に、前記受動式赤外線検知装置の検知敏感さが厳しく干渉され、容易に誤って判断する状況を生じる。
２．受動式赤外線検知装置は、容易に外界の自然環境の干渉を受け、その検知範囲は単に立体的空間に及び、ガラスやセメントや木製板材などの建築材料の阻隔のことを突破できなく、その検知範囲は単に特定の室内空間に限られるため、その実用性が大幅に低下される。
３．受動式赤外線検知装置は単に熱源のある物体しか検出できなく、熱源のない物体に対しては検知を実行できない。
【０００８】
前記のそれぞれの従来の検知システムの検知方式にはすべて明らかな欠点を有するため、本発明は、マイクロウェーブ検知装置（Ｍｉｃｒｏｗａｖｅ  Ｄｅｔ）を物体の移動状況を検出する手段とし、その原理は、丁度レーダのスキャニング・ウェーブのように、物体の反射するマイクロウェーブを計算に納入し、それによって物体の移動状況を判断し、そのため、ガラスやセメントや木製板材などの建築材料の阻隔のことを突破でき、且つ外界の自然環境の干渉を受けない。
【０００９】
本発明の発明者は、前記の従来の検知システムが、実施に使用される際の欠点に鑑みて、その個人の当該事業に従事してきた多年間の経験に基づいて、研究開発を進めた結果、とうとう一種のマイクロウェーブ検知システムを開発し得た。
【発明の開示】
【発明が解決しようとする課題】
【００１０】
そのため、本発明は、マイクロウェーブ検知装置を検知手段とし、特定の範囲の立体空間内の物体の移動状況を検知し、遮蔽物（例えば、ガラスやセメントや木製板材などの建築材料）の阻隔のことを超えられ、精確的に検知範囲内の不明物体の移動を検知でき、その検知する状況に応じて即時に正確的な反応を実行でき、且つ検知する信号に従って遠距離の同期的操作を実行できる、マイクロウェーブ検知システムを提供することをその主要な解決しようとする課題とする。
【課題を解決するための手段】
【００１１】
前記の課題を解決するために、本発明は、電源を供給するための給電装置と、前記給電装置に電気的に接続される受動電気装置と、前記給電装置と前記受動電気装置との電気回路に接続され、前記受動電気装置を起動することを判断するための出力コントローラと、前記出力コントローラに接続され、特定の範囲の立体空間内において無方向性のマイクロウェーブを発射し、それによって特定の範囲の立体空間内の物体の移動状況を検知し、且つ検知信号を前記出力コントローラに送信し、前記出力コントローラに前記受動電気装置を起動することを判断するための依拠を提供するためのマイクロウェーブ検知装置と、からなることを特徴とする、マイクロウェーブ検知システムを提供する。
【発明の効果】
【００１２】
本発明は前記の構成によって、前記マイクロウェーブ検知装置により特定範囲の立体空間内において不明の物体が移動しているかのことを検知し、且つその検知信号を出力コントローラに出力し、前記出力コントローラによって前記受動電気装置を起動し、前記不明の物体の動作に応じて即時に反応を実行するように作用させることが出来る。
【発明を実施するための最良の形態】
【００１３】
本発明の構造とその特徴とその効果をさらに詳しく解明するために、以下に添付図面を参照しながら、本発明の好適な実施の形態を詳細的で具体的に説明するが、それらの詳細な説明による具体的な構造は、単に本発明の実施可能な実施例に過ぎず、本発明を狭義的に制限するものではないことが言うまでもないことである。
【実施例】
【００１４】
まず、図１に示すように、本発明には、主に、給電装置１と、受動電気装置２と、出力コントローラ３と、マイクロウェーブ検知装置４とを備えている。
【００１５】
前記給電装置１は、電源を供給することに用いられる。
【００１６】
また、前記受動電気装置２は、前記給電装置１に電気的に接続され、その受動電気装置２として例えば照明装置２ａを使用する。
【００１７】
また、前記出力コントローラ３は、前記給電装置１と前記受動電気装置２との電気回路に接続され、且つ前記受動電気装置２と直列的に接続され、前記受動電気装置２を起動するかを判断及び決定できる。
【００１８】
また、前記マイクロウェーブ検知装置４は、前記出力コントローラ３に接続され、且つそのマイクロウェーブ検知装置４と前記受動電気装置２とが特定の相同空間範囲内に取り付けられ、その特定の範囲の立体空間内において無方向性のマイクロウェーブを発射し、それによってその特定範囲の立体空間内の物体の移動状況を検知し、且つ検知信号を前記出力コントローラ３に送信し、前記出力コントローラ３に前記受動電気装置２を起動するかの判断依拠を提供する。
【００１９】
前記の構成を有させることによって、前記マイクロウェーブ検知装置４により遮蔽物（例えば、ガラスやセメントや木製板材などの建築材料）の阻隔を乗り越えて、特定の範囲の立体空間内において不明の物体が移動しているかを検知し、検知範囲内の不明の移動物体の移動を精確的に検出する効果を達成し、且つその検知信号を前記出力コントローラ３に送信し、その出力コントローラ３によって前記受動電気装置２を起動するようにコントロールし、相応する反応を実行し、その特定の範囲における物体に照明を提供する。
【００２０】
本発明の第二の実施の形態の場合では、前記マイクロウェーブ検知装置４と前記受動電気装置２とが異なる空間範囲内に配置され、前記マイクロウェーブ検知装置４が作用範囲の先端部で先に人間が動くことを検知し、その検知によって、前記作用範囲の裏端部に配置される受動電気装置２を予め起動することによって、人間が作用範囲に入る前に、装置を予め起動する機能を実現する。
【００２１】
本発明の第三の実施の形態は図２に示すように、その受動電気装置２として警告装置２ｂを使用する。
【００２２】
前記の構成を有するので、前記マイクロウェーブ４の検知可能な特定範囲の立体空間内に、不明の物体が入る場合、前記出力コントローラ３の制御によって前記受動電気装置２を起動して警告信号を発信し、その不明物体を前記特定の範囲より離れさせるように警告をする。
【００２３】
また、本発明の第四の実施の形態は、図３に示すように、前記の構成において、さらに発信器５と遠方装置６を増設し、その中、前記発信器５が前記出力コントローラ３に接続され、前記マイクロウェーブ検知装置４の検知した情報信号を発信できる。また、前記遠方装置６には、前記発信器５の発信する信号を受信可能な受信器６１と、前記受信器６１に接続される作動装置６２とを有し、前記作動装置６２としてモニタ装置６２ａを使用し、且つ前記受信器６１の受信する信号にしたがって作動を実行するかを判断及び決定する。
【００２４】
前記の構成を有する場合、不明の物体が前記マイクロウェーブ検知装置４の検知可能な特定範囲の立体空間を経過する場合、前記マイクロウェーブ検知装置４によってその特定範囲の立体空間内の不明の物体を検知でき、その検知信号を前記出力コントローラ３に送信し、それによって前記受動電気装置２を起動し、警告信号を出し、且つ前記発信器５によって前記信号を前記遠方装置６の受信器６１に送信し、前記受信器６１を介して信号を前記作動装置６２に送信し、同時に前記モニタ装置６２ａからなる前記作動装置６２を起動し、前記不明の物体の行為をレコーディングする。
【００２５】
本発明の第五の実施の形態は、図４に示すように、前記の構成において、前記遠方装置６を三セット配置し、且つそれらの三セットの遠方装置６の作動装置６２としてそれぞれモニタ装置６２ａと警告装置６２ｂと警戒ネットワーク６２ｃとを使用する。
【００２６】
前記の構成を有する場合、不明の物体が前記マイクロウェーブ検知装置４の検知可能な前記の特定範囲の立体空間を経過する場合に、前記マイクロウェーブ検知装置４によって前記特定の範囲の立体空間内の不明物体を検知し、且つその検知信号を前記出力コントローラ３に送信し、前記受動電気装置２を起動させ、警告信号を出し、同時に前記発信器５によって前記信号を同期に前記三セットの遠方装置６に送信し、それぞれモニタ装置６２ａと警告装置６２ｂと警戒ネットワーク６２ｃなどの三セットの作動装置６２を起動し、全面的警戒の目的を達成できる。
【産業上の利用可能性】
【００２７】
前記のそれぞれの形態のアピールことから分かるように、本発明は少なくとも下記のような優れる産業上の利用可能性を有する：
１．本発明はマイクロウェーブ検知装置４（Ｍｉｃｒｏｗａｖｅ  Ｄｅｔ）を採用するので、特定範囲の立体空間内の物体の移動状況を検知できる。
２．本発明はマイクロウェーブ検知装置４（Ｍｉｃｒｏｗａｖｅ  Ｄｅｔ）を採用するので、遮蔽物（例えば、ガラスやセメントや木製板材などの建築材料）の阻隔のことを超えられ、精確的に検知範囲内の不明物体の移動を検知でき、出力コントローラ３に精確的に判断させることが出来る。
３．前記出力コントローラ３が前記給電装置１と前記受動電気装置２との電気回路に接続されると共に、前記受動電気装置２と直列的に接続されるため、前記の出力コントローラ３が直接に前記受動電気装置２を制御でき、他の複雑な電気回路を加入する必要はない。
４．本発明は複数セットの遠方装置６を合せて使用でき、マイクロウェーブ検知装置４の検知する現場の状況に応じて同期的に複数個の対応処置を採用できる。
５．本発明の検知のことは、物体の表面に熱源があるかどうかのことに制限されることはなく、特定の範囲内のすべての侵入物体に対し検出を実行できる。
【００２８】
また、前記に説明したのは、単に本発明の実施可能な実施の形態に過ぎず、それらによって本発明に実施の範囲を制限するものはなく、いずれの本発明の特許請求の範囲の要旨に基づいて実施される相同効果の変化や改造や一部転用などもすべて本発明の保護範囲内に納入されるべきことが言うまでもないことである。
【００２９】
前記に説明した通りに、本発明による構成は、確かに遮蔽物を乗り越えて精確的に特定範囲の立体空間内の物体の移動状況を検知でき、且つその検知状況に応じて即時で正確的なレスポンスを実行でき、且つその検知する信号にしたがって遠方で同期操作を実行できる。このような機能は関連のある製品に見られていない。
【図面の簡単な説明】
【００３０】
【図１】本発明を示すブロック図である。
【図２】本発明の第三の実施の形態を示すブロック図である。
【図３】本発明の第四の実施の形態を示すブロック図である。
【図４】本発明の第五の実施の形態を示すブロック図である。
【符号の説明】
【００３１】
１      給電装置
２      受動電気装置
２ａ    照明装置
２ｂ    警告装置
３      出力コントローラ
４      マイクロウェーブ検知装置
５      発信器
６      遠方装置
６１    受信器
６２    作動装置
６２ａ  モニタ装置
６２ｂ  警告装置
６２ｃ  警戒ネットワーク
【図１】
2005221303.tif 000003
【図２】
2005221303.tif 000004
【図３】
2005221303.tif 000005
【図４】
2005221303.tif 000006